(57)【要約】【課題】簡単な構造で、装身具本体に対して装飾部を強固に固定することができ、簡単に装飾部を装身具本体に対して着脱することが可能な装身具を提供する。【解決手段】本実施形態によるネックレス１０においては、挿入軸３２の先端側が挿通孔３１から突出するように当該挿通孔３１に挿入し、その後に、係合レバー３３を折曲させて係合ピン３５を係合孔３４に係合させることにより、前記衣装２１を前記ボディー部１１に固定する固定手段３０を備える。このように、ボディー部１１に対して衣装２１を着脱可能に簡単に設けられるから、ユーザは、衣装２１を着せ替え感覚で交換可能となる。【選択図】図４
2010005021.tif 000002
【特許請求の範囲】
【請求項１】
装身具本体と、装飾部と、前記装飾部を前記装身具本体に対して着脱可能に固定する固定手段と、を具備し、
前記固定手段は、前記装身具本体に穿設された挿通孔と、前記装飾部に突設される挿入軸と、前記挿入軸の先端側に折り曲げ可能に設けられ、その先端が係合部となる係合レバーと、前記装身具本体に形成され、前記係合レバーの係合部が係合される被係合部と、を具備し、
前記挿入軸の先端側が前記挿通孔から突出するように当該挿通孔に挿入し、係合レバーを折り曲げて係合部を被係合部に係合させることにより、前記装飾部が前記装身具本体に固定される
ことを特徴とする装身具。
【請求項２】
請求項１に記載の装身具において、
前記装身具本体は人形形状となり、前記装飾部は表面に装飾部位が設けられた服形形状である
ことを特徴とする装身具。
【請求項３】
請求項１または２に記載の装身具において、
前記挿通孔の穴形状および前記挿入軸の断面形状は、非円形状である
ことを特徴とする装身具。
【請求項４】
請求項１または２に記載の装身具において、
前記係合部および前記被係合部は、互いに係合する孔部と凸部、或いは凹部と凸部を有する
ことを特徴とする装身具。
【請求項５】
請求項１または２に記載の装身具において、
前記装身具本体または前記装飾部のうち、いずれか一方の部材に形成され、他方の部材を挟む複数個の爪部を有する位置決め手段を、さらに具備する
ことを特徴とする装身具。
【請求項６】
請求項５に記載の装身具において、
前記各爪部および当該各爪部が当接する他方の部材の部位には、互いに係合する凹溝および凸溝が形成される
ことを特徴とする装身具。
【請求項７】
請求項１または２に記載の装身具において、
前記装飾部は複数個備えてなる
ことを特徴とする装身具。
【発明の詳細な説明】
【技術分野】
【０００１】
本発明は、装身具本体に対して装飾部が着脱可能となる装身具（例えば、ネックレス、指輪、ペンダント、イヤリング、ピアス、ブレスレット、ブローチ、ネクタイピン、カフスボタン等）に関する。
【背景技術】
【０００２】
従来、指輪やネックレス等の装身具は、装飾部（例えば、宝石等）が土台となるリング等に固定されており、ＴＰＯ（Ｔｉｍｅ（時間）、Ｐｌａｃｅ（場所）、Ｏｃｃａｓｉｏｎ（場面））に応じて交換して使用するのが通常であった。一般に、ＴＰＯに応じて複数個の装身具を用意しなくてはならないのが実情である。また、同じデザインの装身具をいつも身に付けていたのでは、ユーザが早期に飽きてしまう可能性もある。
そこで、装身具本体（基台）に対して装飾部（飾体）を着脱可能に設けるようにして、ＴＰＯに応じて装飾部を交換可能とした装身具（特許文献１，２等）がある。
【０００３】
ここで、特許文献１に記載の装飾体では、装飾用主体を抜け止め体に着脱自在に設けるに当たり、抜け止め体を円形基板とロック用基板とから構成し、装飾用主体から突設した軸脚を円形基板の鍵状穴に挿入した上で、ロック用基板を円形基板に係止させる構成となっている。
【０００４】
また、特許文献２に記載の装飾具では、装着対象に対して装飾部材を着脱自在に設けるために、洋服のホック（鉤と受け金）のような構造の係合部材が用いられている。
【特許文献１】特開平０８−０３２２６１号公報
【特許文献２】特開平１１−３３２６１８号公報
【発明の開示】
【発明が解決しようとする課題】
【０００５】
ところで、特許文献１では、装飾用主体が抜け止め体に対して確実に固定されるものの、抜け止め体の構造が複雑になっていた。また、特許文献２では、ワンタッチ操作で簡単に装飾部材が交換できるものの、装飾部材が装着対象に確実に固定されていないため、不用意に装飾部材が離脱されて紛失する可能性があった。
【０００６】
本発明は、上述した課題に鑑みてなされたものであり、その目的は、簡単な構造で、装身具本体に対して装飾部を強固に固定することができ、装飾部を装身具本体に対して簡単に着脱することが可能な装身具を提供することにある。
【課題を解決するための手段】
【０００７】
上述した課題を解決するために、本発明が採用する装身具の構成は、装身具本体と、装飾部と、前記装飾部を前記装身具本体に対して着脱可能に固定する固定手段と、を具備し、前記固定手段は、前記装身具本体に穿設された挿通孔と、前記装飾部に突設される挿入軸と、前記挿入軸の先端側に折り曲げ可能に設けられ、その先端が係合部となる係合レバーと、前記装身具本体に形成され、前記係合レバーの係合部が係合される被係合部と、を具備し、前記挿入軸の先端側が前記挿通孔から突出するように当該挿通孔に挿入し、係合レバーを折り曲げて係合部を被係合部に係合させることにより、前記装飾部が前記装身具本体に固定されることを特徴とする。
【０００８】
上記構成において、前記装身具本体は人形形状となり、前記装飾部は表面に装飾部位が設けられた服形形状であることが好ましい。
【０００９】
上記構成において、前記挿通孔の穴形状および前記挿入軸の断面形状は、非円形状であることが好ましい。
【００１０】
上記構成において、前記係合部および前記被係合部は、互いに係合する孔部と凸部、或いは凹部と凸部を有することが好ましい。
【００１１】
上記構成において、前記装身具本体または前記装飾部のうち、いずれか一方の部材に形成され、他方の部材を挟む複数個の爪部を有する位置決め手段を、さらに具備することが好ましい。
【００１２】
上記構成において、前記各爪部および当該各爪部が当接する他方の部材の部位には、互いに係合する凹溝および凸溝が形成されることが好ましい。
【００１３】
上記構成において、前記装飾部は複数個備えてなることが望ましい。
【発明の効果】
【００１４】
本発明によれば、装身具本体に対して装飾部を固定する際には、固定手段の挿入軸を、その先端側が挿通孔から突出するように当該挿通孔に挿入した後に、係止レバーを折り曲げて係合部を被係合部に係合させることにより、挿入軸を挿入孔からの抜け止めを図る。これにより、本発明による装身具は、簡単な構造で、装飾部を装身具本体に対して強固に固定することが可能となる。
一方、係止レバーを直立させて、係合部を被係合部から外し、挿入軸を挿入孔から抜き取ることにより、装飾部を装身具本体から外すことができる。このように、本発明による装身具においては、ユーザは簡単な操作によって、装飾部を装身具本体に対して着脱を行うことが可能となる。
【００１５】
また、装身具本体を人形形状、装飾部を服形形状として形成し、この装飾部を複数個用意することにより、ユーザは装飾部の交換を着せ替え感覚で行うことが可能とする。
【発明を実施するための最良の形態】
【００１６】
以下、本発明による装身具について図面を参照しつつ説明する。
＜実施形態＞
本実施形態においては、装身具としてネックレスを例示する。
（１）構成
図１は、本発明の実施形態に係るネックレス１０を示す図である。このネックレス１０は、平板を人形形状に形成した装身具本体となるボディー部１１と、このボディー部１１に着脱可能に設けられ、服形状に形成された衣装２１と、を具備する。ボディー部１１および衣装２１は、例えば、Ｐｔ９００，１８Ｋ，１４Ｋ，９Ｋ等の金属を加工することにより形成される。
【００１７】
ボディー部１１は、図２に示すように、女性に見立てた人形形状に形成される。このボディー部１１は、体部位１２と、この体部位１２に設けられた頭部位１３と、を具備する。頭部位１３は、体部位１２に対して軸支持構造（図示せず）によって、揺動可能に支持される。
体部位１２の長さが約２０ｍｍ、頭部位１３の長さが約１１ｍｍとなって、ボディー部１１の全長は約３１ｍｍとなる。また、ボディー部１１の幅寸法は、腕部１２Ｂの端部までの距離となり約１０．８ｍｍとなる。また、体部位１２の厚さは約１．０ｍｍ、頭部位１３の厚さは、体部位１２側が約２．０ｍｍ、先端側が約３．０ｍｍとなる。
【００１８】
前記体部位１２は、胴部１２Ａと、前記胴部１２Ａの腰に手のひらを当てた腕部１２Ｂ，１２Ｂと、脚部１２Ｃと、を有する。また、頭部位１３は、髪をアップさせたような形状となり、装飾部位となる宝石（例えば、ダイヤモンド（無色透明），トルマリン（桃色透明）等）によって装飾された髪飾り１３Ａが設けられる。
また、頭部位１３の先端側には、チェーン１４が通されるチェーン通し孔１３Ｂが頭部位１３を左右に横切るように穿設される。
【００１９】
衣装２１は、図３に示すように、膨らみを持たせたワンピースに見立てて形成された基部２２と、この基部２２表面に装飾された装飾部位となる複数個の宝石２３（例えば、アメシスト（紫色透明），アクアマリーン（水色透明），シトリン（黄色透明），ブラックスピネル（黒色），ホワイトサファイア（無色透明）等）とを具備する。
基部２２の横寸法が約８．２ｍｍ、縦寸法が約９．０ｍｍとなる。
【００２０】
（２）固定手段および位置決め手段
次に、ボディー部１１に対する衣装２１の固定手段および位置決め手段について、図２および図３を参照しつつ説明する。
固定手段３０は、ボディー部１１（体部位１２）の中央位置に穿設された挿通孔３１と（図２（ａ）参照）、前記衣装２１（基部２２）の中央位置に突設された挿入軸３２と（図３（ｃ）参照）、この挿入軸３２の先端側に折曲可能に軸支持され、その先端が係合孔３４となる係合レバー３３と、前記衣装２１（基部２２）の中央からずれた位置に突設され、前記係合レバー３３の係合孔３４に係合される係合ピン３５とを具備する。
【００２１】
挿通孔３１の穴形状および挿入軸３２の断面形状はハート形状となり、尖った部分がボディー部１１の脚部１２Ｃの方向を向くように形成される。また、係合孔３４は、穴形状がハート状となり、一部に切欠溝３４Ａが形成されている。また、係合ピン３５の先端には球状の嵌合部３５Ａが形成される。
【００２２】
さらに、係合ピン３５は、係合レバー３３が折り曲げられた際に、係合ピン３５の嵌合部３５Ａが係合孔３４に嵌合されるように、係合レバー３３長さ分を加味した衣装２１（基部２２）に設けられる。
【００２３】
次に、位置決め手段は、図２および図３に示すように、衣装２１の肩に対応した上側位置から突出形成した爪部４１Ａ，４１Ａと、衣装２１の裾に対応した下側位置から突出形成した爪部４１Ｂ，４１Ｂと（図３（ｃ）参照）、ボディー部１１（胴部１２Ａ）の肩の部分に形成され、各爪部４１Ａが当接される当接部４２Ａ，４２Ａと、ボディー部１１（胴部１２Ａ）の腰の部分に形成され、各爪部４１Ｂが当接される当接部４２Ｂ，４２Ｂと（図２（ｃ）参照）を具備する。
また、各爪部４１Ｂには凹溝４１Ｃ（図３（ｃ）参照）が立ち上がる方向に向けて形成され、各当接部４２Ｂには凹溝４１Ｃに係合する凸溝４２Ｃ（図２（ｃ）参照）が厚さ方向に向けて形成される。
【００２４】
（３）衣装２１のボディー部１１への着脱
次に、ボディー部１１に対する衣装２１の着脱方法を、図４を参照しつつ説明する。
まず、図４（ａ）に示すように、ボディー部１１に衣装２１を矢印Ａ方向に近づける。この際、ボディー部１１の挿通孔３１に対して挿入軸３２が挿入されるようにハートの形状を合わせる。ここで、挿通孔３１の穴形状および挿入軸３２の断面形状が非円形のハート形となっているため、挿通孔３１に挿入軸３２を挿入した段階で、ボディー部１１に対して衣装２１の回り止めを図った状態で位置決めされる。つまり、衣装２１の上下がボディー部１１に対して決まることになる。
【００２５】
挿通孔３１に挿入軸３２を挿入し、ほぼ位置合わせされた状態で、当接部４２Ａに爪部４１Ａを合わせ、当接部４２Ｂに爪部４１Ｂを合わせ、さらに爪部４１Ｂの凸部４１Ｃが当接部４２Ｂの凹溝４２Ｃに係合するように、衣装２１をボディー部１１に対して矢印Ａ方向にさらに挿入する。これにより、ボディー部１１に対する衣装２１の位置合わせが確実になる。
【００２６】
さらに、衣装２１の挿入軸３２をボディー部１１の挿通孔３１への挿入を、衣装２１の基部２２がボディー部１１に当たるまで行い、図４（ｃ）に示すように、挿通孔３１から突出する挿入軸３２の係合レバー３３を矢印Ｂ方向に折り曲げる。
【００２７】
係合レバー３３を矢印Ｂ方向に折り曲げることにより、図４（ｄ）に示すように、係合レバー３３の係合孔３４を係合ピン３５に係合させる。この際、係合孔３４には切欠溝３４Ａが形成されているため、係合ピン３５の嵌合部３５Ａに係合する際、係合孔３４の径寸法を若干広げ、係合後には元の径寸法に戻る。よって、係合レバー３３は、係合ピン３５に対して無理嵌めして、当該係合レバー３３が自由に動くのを規制する。
【００２８】
（４）実施形態の効果
このように、本実施形態によるネックレス１０においては、挿入軸３２の先端側が挿通孔３１から突出するように当該挿通孔３１に挿入し、その後に、係合レバー３３を折曲させて係合ピン３５を係合孔３４に係合させることにより、前記衣装２１を前記ボディー部１１に固定する固定手段３０を備えているから、ボディー部１１に対して衣装２１を確実に固定することができる。
【００２９】
一方、ボディー部１１から衣装２１を外す際には、上記の手順とは逆に、係合レバー３３を係合ピン３５から外し、挿入軸３２の軸線に沿うように立てた後に、挿入軸３２を挿通孔３１から抜き取ることにより、ボディー部１１から衣装２１を簡単に取り外すことができる。
【００３０】
また、ユーザが実際に行う動作を考えると、ユーザは、衣装２１を装着する際には、挿入軸３２を挿通孔３１に宛った上で、親指で衣装２１の基部２２を押さえて挿入し、衣装２１を押した状態のまま、人差し指で係合レバー３３を折り曲げて、係合孔３４を係合ピン３５に係合させる。
一方、衣装２１を離脱させる際には、人差し指で係合レバー３３を係合ピン３５から外し、挿入軸３２の軸線に沿うように立てた状態にして、衣装２１を人差し指と親指で摘んで、挿入軸３２を挿通孔３１から抜き取って、ボディー部１１から衣装２１を簡単に取り外す。
【００３１】
このように、本実施形態によるネックレス１０においては、簡単な構造によって固定手段３０を構成しているから、例えば、親指と人差し指だけの一連の動きによって、ボディー部１１に対する衣装２１の着脱を簡単に行うことができる。
【００３２】
また、図５に示すように、色の異なった宝石２３を装飾した衣装２１Ａ，２１Ｂ・・・を複数個用意しておき、ユーザがＴＰＯに応じて衣装２１を選択してボディー部１１に装着することで、ユーザは着せ替え感覚で衣装２１を選択することが可能となる。
【００３３】
さらに、本実施形態におけるネックレス１０においては、挿通孔３１、挿入軸３２，係合孔３４等をハート形に形成しているため、ジュエリーらしさが強調されることになる。
【００３４】
（５）変形例
本発明は、前述した実施形態の構成に限らず、種々の対応が可能である。
（５−１）装身具本体
前記実施形態では、装身具としてネックレス１０を例示して述べたが、本発明はこれに限らず、指輪、ペンダント、イヤリング、ピアス、ブレスレット、ブローチ、ネクタイピン、カフスボタン等であってもよい。
例えば、指輪に用いる場合には、図６に示すように、ボディー部１１に代えてリング部５１を用いればよい。このリング部５１には、固定手段の一部を構成する挿通孔３１および係合ピン３５が形成された固定部位３０Ａが立設されている。
このように構成される指輪であっても、前述したネックレス１０と同様に、衣装２１（装飾部）の着脱交換が可能となる。
【００３５】
また、ペンダント、イヤリング、ピアス、ブレスレット、ブローチ、ネクタイピン、カフスボタン等に固定手段３０の一部をなす挿通孔３１および係合ピン３５が形成された固定部位を設けることで、１つの衣装２１に対して装着する対象を選択することも可能となる。
さらに、複数個の衣装と複数個の装身具本体を用意することで、組み合わせのバリエーションを増やすことになる。
【００３６】
（５−２）装身具本体の形状
前記実施形態では、ボディー部１１の形状を、女性に見立てた人形形状としたが、例えば、男性に見立てた人形形状のボディー部に対して、衣装を着せ替えるようにしてもよい。さらに、ボディー部１１の形状は、人間の形状に限らず、動物や建物等、表面に装飾部を着脱可能に設けても違和感のないものであれば、どのような形状であってもよい。
【００３７】
（５−３）装飾部の形状
前記実施形態では、衣装２１（基部２２）の形状をワンピースとした場合について述べたが、本発明はこれに限らず、スーツ，着物等他の服に見立てた形状であってもよい。
例えば、水着やアロハシャツに見立てた衣装を形成しておき、海に出かける際には、水着やアロハシャツに見立てた衣装を装着することで、ＴＰＯに応じた着せ替えのバリエーションを増やすことが可能になる。
また、装飾部の形状は、衣装の形状に限らず、丸形、四角等の多角形等の対象形状であってもよく、この場合、変形例（５−１）で示したリング部５１にこの装飾部を装着したリングにあっても違和感無く使用することが可能となる。
【００３８】
（５−４）固定手段の構造
前記実施形態では、挿通孔３１の穴形状および挿入軸３２の断面形状はハート形状としたが、非円形であれば、どのような形状であってもよい。要は、ボディー部１１に対して衣装２１が回転しないように規制する形状であればよい。
また、衣装２１に爪部４１Ａ，４１Ｂを突設し、これに対応するボディー部１１の部位を当接部４２Ａ，４２Ｂとしたが、逆に、ボディー部１１に爪部を形成し、これに対応する衣装２１の部位を当接部としてもよい。
【００３９】
さらに、係合レバー３３の先端に係合孔３４を穿設し、この係合孔３４に係合ピン３５を係合させることにより、係合レバー３３が自由に動くのを規制する構成としたが、係合レバー３３の先端に凹部を形成し、係合レバー３３の凹部で係合ピン３５の嵌合部３５Ａを嵌合して係合レバー３３を規制する構成でも、係合レバー３３の先端に嵌合部を突出形成し、係合ピン３５の先端に凹部を形成し、係合ピン３５の凹部で係合レバー３３の嵌合部３５Ａを嵌合して係合レバー３３を規制する構成であってもよい。要は、係合レバー３３を位置決めする構造であればよい。
【００４０】
また、前記実施形態では、ボディー部１１に対して衣装２１を装着する構成について述べたが、衣装２１のようにボディー部１１に対して上下を規制して装着する必要がない場合には、基部２２に対して非対象となる位置に形成した爪部４１Ａ，４１Ｂとする必要はなく、例えば挿入軸３２を中心として対象となる位置に形成し、これらの爪部を受けるように装身具本体を形成してもよい。
【図面の簡単な説明】
【００４１】
【図１】本発明の実施形態に係るネックレス（装身具）を示す図である。
【図２】本実施形態に係るボディー部（装身具本体）を示す図である。
【図３】本実施形態に係る衣装（装飾部）を示す図である。
【図４】ボディー部に対する衣装の装着手順を示す図である。
【図５】実施形態に係る使用状態を示した図である。
【図６】本発明の変形例（５−１）による指輪（装身具）を示す図である。
【符号の説明】
【００４２】
１０・・・ネックレス、１１・・・ボディー部（装身具本体）、１２・・・体部位、１３・・・頭部位、１４・・・チェーン、２１，２１Ａ，２１Ｂ…・・・衣装（装飾部）、２２・・・基部、２３・・・宝石（装飾部位）、３０・・・固定手段、３１・・・挿通孔、３２・・・挿入軸、３３・・・係合レバー、３４・・・係合孔、３４Ａ・・・切欠溝、嵌合部３５・・・係合ピン、３５Ａ・・・嵌合部、４１Ａ，４１Ｂ・・・爪部、４２Ａ，４２Ｂ・・・当接部、４１Ｃ・・・凸溝、４２Ｃ・・・凹溝、５１・・・リング部（装身具本体）。
【図１】
2010005021.tif 000003
【図２】
2010005021.tif 000004
【図３】
2010005021.tif 000005
【図４】
2010005021.tif 000006
【図５】
2010005021.tif 000007
【図６】
2010005021.tif 000008